(57)【要約】【課題】中古車販売業者が応札候補とする中古車の駐車位置に効率的に行くことができ、中古車買取業者やオークション業者にとって早期に落札されることを望む中古車が、効率的に中古車販売業者の目に触れるように中古車を駐車させることが可能な、オークション出品中古車駐車位置管理装置、およびオークション出品中古車駐車位置管理方法を提供すること。【解決手段】中古車の属性を示す属性情報を格納する属性情報データベースを参照して中古車の属性情報を取得し、属性情報と駐車位置を示す駐車位置情報とを対応付けて格納する配置情報データベースを参照して取得した属性情報に対応する駐車位置情報を取得し、取得した属性情報と駐車位置情報に基づいて、中古車オークションに出品される中古車の駐車位置を決定することで、中古車オークションが行われる中古車オークション会場における中古車の駐車位置を管理する。【選択図】図３
2019040558.tif 000002
【特許請求の範囲】
【請求項１】
中古車オークションが行われる中古車オークション会場における中古車の駐車位置を管理するオークション出品中古車駐車位置管理装置であって、
前記中古車の属性を示す属性情報を格納する属性情報データベースと、
前記属性情報データベースを参照し、前記中古車の属性情報を取得する属性情報取得部と、
前記属性情報と前記駐車位置を示す駐車位置情報とを対応付けて格納する配置情報データベースと、
前記属性情報データベースに格納された前記属性情報と前記配置情報データベースに格納された前記駐車位置情報に基づいて、前記中古車オークションに出品される前記中古車の前記駐車位置を決定する駐車位置決定部と、
を備えることを特徴とするオークション出品中古車駐車位置管理装置。
【請求項２】
更に、
前記配置情報データベースに格納された前記属性情報と前記駐車位置情報との対応関係を更新する配置情報更新部、
を備えることを特徴とする請求項１に記載のオークション出品中古車駐車位置管理装置。
【請求項３】
前記配置情報更新部は、前記属性情報に対応する前記駐車位置情報を変更する、ことを特徴とする請求項２に記載のオークション出品中古車駐車位置管理装置。
【請求項４】
前記駐車位置決定部は、前記属性情報に対応付けられた駐車位置情報を前記駐車位置として決定する、ことを特徴とする請求項１乃至３の何れか１項に記載のオークション出品中古車駐車位置管理装置。
【請求項５】
前記駐車位置決定部は、前記属性情報に対応付けられた駐車位置情報とは異なる駐車位置情報を前記駐車位置として決定する、ことを特徴とする請求項１乃至３の何れか１項に記載のオークション出品中古車駐車位置管理装置。
【請求項６】
前記属性情報は、人気度、車種、メーカー、またはせり成約率を含む、ことを特徴とする請求項１乃至５の何れか１項に記載のオークション出品中古車駐車位置管理装置。
【請求項７】
中古車オークションが行われる中古車オークション会場における中古車の駐車位置を管理するオークション出品中古車駐車位置管理装置において実行されるオークション出品中古車駐車位置管理方法であって、
前記中古車の属性を示す属性情報を格納する属性情報データベースを参照して前記中古車の属性情報を取得し、
前記属性情報と前記駐車位置を示す駐車位置情報とを対応付けて格納する配置情報データベースを参照して前記取得した属性情報に対応する駐車位置情報を取得し、
前記取得した属性情報と駐車位置情報に基づいて、前記中古車オークションに出品される前記中古車の前記駐車位置を決定する、
ことを特徴とするオークション出品中古車駐車位置管理方法。
【発明の詳細な説明】
【技術分野】
【０００１】
本発明は、中古車のオークション会場において、出品する中古車の駐車位置を管理するオークション出品中古車駐車位置管理装置、およびオークション出品中古車駐車位置管理方法に関する。
【背景技術】
【０００２】
従来、オークションによる中古車の取引が、中古車買取業者、オークション開催業者、および中古車販売業者によって行われている。
【０００３】
中古車買取業者は、売却を希望する所有者から買い取った自動車（中古車）を、その中古車に関する情報と共に中古車オークションに出品する。出品する中古車は、中古車買取業者によってオークション会場に運び込まれる。
【０００４】
オークション業者は、出品された中古車に関する情報に、中古車の撮像画像等の詳細情報を付加し、出品リストを作成する。各中古車の撮像画像や詳細情報は、オークション会場に持ち込まれた中古車をオークション業者が点検表に従って評価し、デジタルカメラで外観および内部を撮像し、各中古車のデータとして作成している。また、出品される中古車は、主にオークション会場に運び込まれた順に駐車場に駐車される。
【０００５】
中古車販売業者は、オークション業者が作成した出品リストを参照して、出品された中古車を査定し、応札する。例えば、オークション会場内に設置された検索用端末装置を用いて、車種、年式などの情報から応札候補の中古車を検索する。検索用端末装置は、検索された中古車の撮像画像や詳細情報を画面に表示する。中古車販売業者は、撮像画像などを閲覧して、その中古車を応札の対象とするか否か決定する。また、中古車販売業者は、検索用端末装置に表示される撮像画像だけではなく、駐車場に駐車されている中古車の車両状態そのものを直に目で確認（査定）することもある。
【０００６】
中古車販売業者が応札候補の中古車の車両状態を直に査定する際、中古車販売業者は、中古車が駐車された場所に行く必要がある。中古車オークションには、数千台乃至数万台の中古車が出品されるため、中古車が駐車されている駐車場は広大である。そのため、駐車した中古車の位置情報を確認するための技術が開示されている（例えば、特許文献１を参照。）。
【先行技術文献】
【特許文献】
【０００７】
【特許文献１】特開２０１６−６２１９３号公報
【発明の概要】
【発明が解決しようとする課題】
【０００８】
しかしながら、オークション会場の駐車場に駐車されている中古車は、中古車買取業者が運び込んだ順に駐車されているため、中古車販売業者が応札候補とする中古車があちこちに散在している。そのため、中古車販売業者が応札候補とする中古車の駐車位置に効率的に行くことができない、という問題点があった。また、中古車買取業者やオークション業者にとって早期に落札されることを望む中古車が、効率的に中古車販売業者の目に触れるように中古車を駐車させることができていない、という問題点があった。
【０００９】
本発明は、上述のような実状に鑑みたものであり、中古車販売業者が応札候補とする中古車の駐車位置に効率的に行くことができ、中古車買取業者やオークション業者にとって早期に落札されることを望む中古車が、効率的に中古車販売業者の目に触れるように中古車を駐車させることが可能な、オークション出品中古車駐車位置管理装置、およびオークション出品中古車駐車位置管理方法を提供することを目的とする。
【課題を解決するための手段】
【００１０】
本発明は、上記課題を解決するため、下記のような構成を採用した。
【００１１】
すなわち、本発明の一態様によれば、本発明のオークション出品中古車駐車位置管理装置は、中古車オークションが行われる中古車オークション会場における中古車の駐車位置を管理するオークション出品中古車駐車位置管理装置であって、前記中古車の属性を示す属性情報を格納する属性情報データベースと、前記属性情報データベースを参照し、前記中古車の属性情報を取得する属性情報取得部と、前記属性情報と前記駐車位置を示す駐車位置情報とを対応付けて格納する配置情報データベースと、前記属性情報データベースに格納された前記属性情報と前記配置情報データベースに格納された前記駐車位置情報に基づいて、前記中古車オークションに出品される前記中古車の前記駐車位置を決定する駐車位置決定部とを備えることを特徴とする。
【００１２】
また、本発明のオークション出品中古車駐車位置管理装置は、更に、前記配置情報データベースに格納された前記属性情報と前記駐車位置情報との対応関係を更新する配置情報更新部を備えることが望ましい。
【００１３】
また、本発明のオークション出品中古車駐車位置管理装置は、前記配置情報更新部が、前記属性情報に対応する前記駐車位置情報を変更することが望ましい。
【００１４】
また、本発明のオークション出品中古車駐車位置管理装置は、前記駐車位置決定部が、前記属性情報に対応付けられた駐車位置情報を前記駐車位置として決定することが望ましい。
【００１５】
また、本発明のオークション出品中古車駐車位置管理装置は、前記駐車位置決定部が、前記属性情報に対応付けられた駐車位置情報とは異なる駐車位置情報を前記駐車位置として決定することが望ましい。
【００１６】
また、本発明のオークション出品中古車駐車位置管理装置は、前記属性情報が、人気度、車種、メーカー、またはせり成約率を含むことが望ましい。
【００１７】
また、本発明の一態様によれば、本発明のオークション出品中古車駐車位置管理方法は、中古車オークションが行われる中古車オークション会場における中古車の駐車位置を管理するオークション出品中古車駐車位置管理装置において実行されるオークション出品中古車駐車位置管理方法であって、前記中古車の属性を示す属性情報を格納する属性情報データベースを参照して前記中古車の属性情報を取得し、前記属性情報と前記駐車位置を示す駐車位置情報とを対応付けて格納する配置情報データベースを参照して前記取得した属性情報に対応する駐車位置情報を取得し、前記取得した属性情報と駐車位置情報に基づいて、前記中古車オークションに出品される前記中古車の前記駐車位置を決定することを特徴とする。
【発明の効果】
【００１８】
本発明によれば、中古車販売業者が応札候補とする中古車の駐車位置に効率的に行くことができ、中古車買取業者やオークション業者にとって早期に落札されることを望む中古車が、効率的に中古車販売業者の目に触れるように中古車を駐車させることができる。
【図面の簡単な説明】
【００１９】
【図１】実施の形態のオークション出品中古車駐車位置管理装置を備えるせりシステムの全体構成図である。
【図２】オークション会場に運び込まれた出品中古車を駐車させるまでの概要を説明するための図である。
【図３】オークション出品中古車駐車位置管理装置の機能ブロック図である。
【図４】オークション出品中古車駐車位置管理処理の流れを示すフローチャートである。
【図５】せり情報データベース（ＤＢ）の例を示す図である。
【図６】属性情報データベース（ＤＢ）の例を示す図である。
【図７】せり機情報データベース（ＤＢ）の例を示す図である。
【図８】配置情報データベース（ＤＢ）の例を示す図である。
【図９】サブルーチン「駐車エリア最適化処理」の流れを示すフローチャートである。
【図１０】配置情報データベース（ＤＢ）の変遷を示す図（その１）である。
【図１１】配置情報データベース（ＤＢ）の変遷を示す図（その２）である。
【図１２】配置情報データベース（ＤＢ）の変遷を示す図（その３）である。
【図１３】配置情報データベース（ＤＢ）の変遷を示す図（その４）である。
【発明を実施するための形態】
【００２０】
以下、本発明の実施の形態について、図面を参照しながら詳細に説明する。
【００２１】
図１は、実施の形態のオークション出品中古車駐車位置管理装置を備えるせりシステムの全体構成図である。
【００２２】
図１において、せりシステム１は、カメラ２、撮影端末３、データベースサーバ（ＤＢサーバ）４、ファイルサーバ５、調整人操作端末６、画像表示装置７、応札端末８、オークション出品中古車駐車位置管理装置９、およびせり制御装置１０を備える。これらの各装置２、３、４、５、６、７、８、９、１０は、出品中古車２０のせりを行なうオークション会場に設けられている。
【００２３】
カメラ２は、例えば、撮影スタジオにおいて、出品中古車２０の撮影を行なう。
【００２４】
撮影端末３は、不図示の入力装置および表示装置を備える。撮影端末３は、入力装置によって入力された、出品中古車２０を出品する中古車買取業者の情報、出品中古車２０のメーカー、車種名、年式、色、走行距離等の車両情報を、データベースサーバ４が備えるデータベース（ＤＢ）４Ａに登録する。撮影端末３は、カメラ２で撮影した出品中古車２０の前方、側方、後方等からの撮像画像を、車輌画像ファイル５Ａとしてファイルサーバ５に登録する。また、撮影端末３は、カメラ２で撮影した撮像画像を表示装置に表示する。
【００２５】
調整人操作端末６は、例えば、せりの開始や落札の決定等の調整人による操作を実行する。
【００２６】
画像表示装置７は、せりの対象となる出品中古車２０の撮像画像を、ファイルサーバ５から読み出して表示する。
【００２７】
応札端末８は、通常、複数台であり、せりに参加する中古車販売業者が応札指示を行なうための端末装置である。
【００２８】
オークション出品中古車駐車位置管理装置９は、オークション会場に運び込まれる出品中古車２０の駐車位置を管理する。詳細は、後述する。
【００２９】
せり制御装置１０は、せりのスタート価格から、応札端末８から入力する価格、所謂せり上がり価格を判断し、落札に至るまでの制御を行なう。
【００３０】
図２は、オークション会場に運び込まれた出品中古車を駐車させるまでの概要を説明するための図である。
【００３１】
図２に示すように、オークション会場には、検査・撮影ヤード２１および駐車ヤード２２が設けられている。出品中古車２０は、検査・撮影ヤード２１に搬入され、検査員による車両検査および点検表に従った評価が行われる。評価は、外装の傷、色等、内装の傷、色等に基づいて、点数化される。点数化された評価を評価点という。
【００３２】
次に、出品中古車２０は、カメラ２による車両撮影が行われ、撮影端末３によるせり用の各種データの登録が行われる。その際、出品中古車２０のオークションへの出品番号が順に付与され、出品番号を含む各種データがＲＦＩＤライタ３０によりＲＦＩＤ（無線周波数識別：Radio Frequency Identification）タグ３１に書き込まれる。ＲＦＩＤタグ３１は、出品中古車２０に貼付または搭載される。
【００３３】
検査、撮影、およびタグ付けが行われた出品中古車２０は、駐車ヤード２２内の所定の場所に移動させて駐車させる。駐車ヤード２２は、例えば、立体駐車場であり、１階から屋上階の複数階を備える。また、各階は、複数のエリアに分けられている。例えば、図２に示した駐車ヤード２２では、１階の手前（１Ｆ手前）と１階の中央（１Ｆ中央）とが仕切り２２Ａで分けられ、１階の中央（１Ｆ中央）と１階の奥（１Ｆ奥）とが仕切り２２Ｂで分けられている。同様に、屋上階の手前（ＲＦ手前）と屋上階の中央（ＲＦ中央）とが仕切り２２Ｃで分けられ、屋上階の中央（ＲＦ中央）と屋上階の奥（ＲＦ奥）とが仕切り２２Ｄで分けられている。出品中古車２０をどのエリアに駐車させるのかは、オークション出品中古車駐車位置管理装置９によって決定される。
【００３４】
ＲＦＩＤリーダ４０は、駐車ヤード２２に駐車した出品中古車２０に貼付または搭載のＲＦＩＤタグ３１から発信される信号を受信し、ＲＦＩＤタグ３１の位置を取得する。
【００３５】
図３は、オークション出品中古車駐車位置管理装置の機能ブロック図である。
【００３６】
図３において、オークション出品中古車駐車位置管理装置９は、せり情報登録部９１、せり情報データベース９２、属性情報データベース９３、属性情報取得部９４、配置情報データベース９５、駐車位置決定部９６、および配置情報更新部９７を備える。
【００３７】
オークション出品中古車駐車位置管理装置９は、中古車オークションが行われる中古車オークション会場における出品中古車２０の駐車位置を管理する。
【００３８】
せり情報登録部９１は、中古車オークションに出品する出品中古車２０の情報をせり情報データベース９２に登録する。登録する情報は、例えば、出品番号、車両情報、スタート価格、撮像画像、評価点、ＲＦＩＤ型番号、および位置である。
【００３９】
せり情報データベース９２は、出品中古車２０の車両情報、スタート価格、撮像画像、評価点、ＲＦＩＤ型番号、および位置を、出品番号と対応付けて格納する。
【００４０】
属性情報データベース９３は、出品中古車２０の属性を示す属性情報を格納する。属性情報は、人気度、車種、メーカー、またはせり成約率を含む。
【００４１】
属性情報取得部９４は、属性情報データベース９３を参照し、出品中古車２０の属性情報を取得する。
【００４２】
配置情報データベース９５は、属性情報と駐車位置を示す駐車位置情報とを対応付けて格納する。
【００４３】
駐車位置決定部９６は、属性情報データベース９３に格納された属性情報と配置情報データベース９５に格納された駐車位置情報に基づいて、中古車オークションに出品される出品中古車２０の駐車位置を決定する。駐車位置決定部９６は、属性情報に対応付けられた駐車位置情報に出品中古車２０を駐車することが可能であれば、属性情報に対応付けられた駐車位置情報を駐車位置として決定する。駐車位置決定部９６は、属性情報に対応付けられた駐車位置情報に出品中古車２０を駐車することが不可能であれば、属性情報に対応付けられた駐車位置情報とは異なる駐車位置情報を駐車位置として決定する。
【００４４】
配置情報更新部９７は、配置情報データベース９５に格納された属性情報と駐車位置情報との対応関係を更新する。例えば、属性情報に対応する駐車位置情報を変更する。
【００４５】
これらの機能により、オークション出品中古車駐車位置管理装置９は、中古車オークションが行われる中古車オークション会場における出品中古車２０の駐車位置を管理する。
【００４６】
図４は、オークション出品中古車駐車位置管理処理の流れを示すフローチャートである。図５は、せり情報データベース（ＤＢ）の例を示す図である。図６は、属性情報データベース（ＤＢ）の例を示す図である。図７は、せり機情報データベース（ＤＢ）の例を示す図である。図８は、配置情報データベース（ＤＢ）の例を示す図である。
【００４７】
図４のステップＳ４０１において、オークション出品中古車駐車位置管理装置９は、検査・撮影ヤード２１で付与された出品番号を、車両情報、スタート価格、撮像画像、評価点、ＲＦＩＤ型番号と対応付けて、出品データとしてせり情報データベース９２（図５）に登録する。例えば、検査・撮影ヤード２１で付与された出品番号が「００００１」の場合、出品番号「０００１」を車両情報「Ｎ，４ＷＤ，Ｓ３５３２」、スタート価格「２０万円（２００（千円））」、撮像画像「００００１．ｊｐｇ」、評価点「１９（点）」、ＲＦＩＤ型番号「ＸＸＸＸＸＸＸＸＸＸ」と対応付けて登録する。車両情報は、メーカー、車種名、年式、色、走行距離等により特定される出品中古車２０の情報である。スタート価格は、出品者である中古車買取業者が決定したせりを開始する際の価格である。撮像画像は、検査・撮影ヤード２１でカメラ２により撮影された出品中古車２０の前方、側方、後方等からの画像である。評価点は、検査・撮影ヤード２１での検査時に行われた評価を点数化したものである。ＲＦＩＤ型番号は、ＲＦＩＤタグ３１を特定する番号である。
【００４８】
以下の説明では、「オークション出品中古車駐車位置管理装置９」を単に「管理装置９」と呼ぶことがある。
【００４９】
ステップＳ４０２において、管理装置９は、ステップＳ４０１でせり情報データベース９２に登録した車両情報をキーとして、図６に示すような属性情報データベース９３にアクセスし、車両情報に対応する人気点数を取得する。例えば、ステップＳ４０１でせり情報データベース９２に登録した車両情報が「Ｎ，４ＷＤ，Ｓ３５３２」の場合、人気点数「６９（点）」を取得する。人気点数は、例えば、型人気、メーカー人気、走行点、評価点、および流行点の各点数の合計値である。型人気は、大型乗用車、中型乗用車、軽乗用車等の違いにより付与される点数である。例えば、大型乗用車は１０点、中型乗用車は２０点、軽乗用車は２０点が付与される。メーカー人気は、Ｔ社製、Ｎ社製、Ｈ社製等の違いにより付与される点数である。例えば、Ｔ社製は２０点、Ｎ社製は１０点、Ｈ社製は５点が付与される。走行点は、走行距離の違いにより付与される点数である。例えば、１００００ｋｍ以上は５点、１００００ｋｍ未満９０００ｋｍ以上は１０点が付与される。評価点は、上述したように、検査・撮影ヤード２１で行われた検査員による評価に基づいて付与される。流行点は、例えば、流行の度合いにより、１５点、１０点、５点等が付与される。
【００５０】
ステップＳ４０３において、管理装置９は、図７に示すようなせり機情報データベースにアクセスし、現在のせり機の「値幅」、「せり上げ間隔」、「決定時間」を取得する。
【００５１】
ステップＳ４０４において、管理装置９は、ステップＳ４０２で取得した人気点数をキーにして、配置情報データベース９５（図８）にアクセスし、人気点数に対応する位置情報を取得する。位置情報は、出品中古車２０を駐車させる駐車位置を示し、例えば、立体駐車場におけるエリア名である。立体駐車場が１乃至５階および屋上階で構成されており、各階が３つのエリアに分けられている場合には、図８に示すように、「１Ｆ手前」「１Ｆ中央」・・・「ＲＦ奥」等のエリア名を位置情報として取得する。例えば、人気点数が「６９（点）」の場合、管理装置９は、位置情報としてフロア名「５Ｆ手前」を取得する。
【００５２】
ステップＳ４０５において、管理装置９は、ステップＳ４０４で取得した位置情報（フロア名）、および残配置数に基づいて、取得した位置情報に出品中古車２０を駐車することが可能か否かを判断する。例えば、取得した位置情報（フロア名）に対応する残配置数が「０」であった場合は、その位置情報（フロア名）には駐車することが不可能であると判断する。
【００５３】
ステップＳ４０５で駐車することが可能でない（不可能である）と判断された場合（ステップＳ４０５：ＮＯ）、ステップＳ４０６において、管理装置９は、ステップＳ４０４で取得した位置情報（フロア名）とは異なる位置情報（フロア名）に再設定し、ステップＳ４０３に戻る。例えば、人気点数が「６９（点）」であるために、位置情報としてフロア名「５Ｆ手前」を取得した場合、人気点数レンジ（図８参照）が１ランク下である「ＲＦ手前」に再設定し、ステップＳ４０３以降を実行する。なお、人気点数レンジの「Ｘ−Ｙ」はＹ以上Ｘ未満を示す。ただし、「１００−Ｙ」の場合は、Ｙ以上１００以下を示す。
【００５４】
他方、ステップＳ４０５で駐車することが可能であると判断された場合（ステップＳ４０５：ＹＥＳ）、その位置情報（フロア名）に出品中古車２０を駐車させ、検査・撮影ヤード２１で出品中古車２０に貼付または搭載されたＲＦＩＤタグ３１から発信される信号を受信し、出品中古車２０（ＲＦＩＤタグ３１）の位置を取得する。そして、ステップＳ４０７において、管理装置９は、取得した位置をせり情報データベース９２（図５）に登録する。例えば、ＲＦＩＤタグ３１から発信される信号に基づいて算出された３次元表現による位置（Ｘ１，Ｙ１，Ｚ１）を登録する。また、出品中古車２０を駐車させた位置情報（フロア名）に対応する、配置情報データベース９５の現在配置数をインクリメントし、残配置数をデクリメントする。
【００５５】
ステップＳ４０８において、管理装置９は、出品番号の値をインクリメント（＋１）する。
【００５６】
ステップＳ４０９において、管理装置９は、全ての出品中古車２０についての登録が済んだか否かを判断する。
【００５７】
全ての出品中古車２０についての登録が済んでいないと判断された場合（ステップＳ４０９：ＮＯ）、ステップＳ４０１に戻り、次に出品中古車２０についてステップＳ４０１以降の処理を実行する。
【００５８】
他方、全ての出品中古車２０についての登録が済んだと判断された場合（ステップＳ４０９：ＹＥＳ）、ステップＳ４１０において、管理装置９は、サブルーチン「駐車エリア最適化処理」を実行し、次回の中古車オークションの際に参照する属性情報データベース９３を最適化した後に、オークション出品中古車駐車位置管理処理を終了する。
【００５９】
図９は、サブルーチン「駐車エリア最適化処理」の流れを示すフローチャートである。図１０、図１１、図１２および図１３は、配置情報データベース（ＤＢ）の変遷を示す図である。
【００６０】
中古車オークションにおける取引の成約率は、およそ３割である。すなわち、残りの７割の出品中古車２０は次回の中古車オークションでも出品されることになる。そこで、次回の中古車オークションの際に参照する属性情報データベース９３を最適化することが重要である。
【００６１】
ステップＳ９０１において、管理装置９は、図１０に示すように、配置情報データベース９５のレコードを人気点数レンジでソートする。
【００６２】
図１０から分かるように、各エリアに駐車可能な最大数を示す配置限界数に対して、現在配置数が少ないエリアがある。例えば、１Ｆ手前は５００台配置（駐車）することができるが、現在４００台しか配置しておらず、１００台余裕がある。この場合、人気点数のレンジの幅を広げ、２Ｆ手前の車から１００台を動かす方が効率的である。そこで、ステップＳ９０２において、管理装置９は、各フロアの中で出品中古車２０を下位フロアへ詰めていった場合の配置数（次回せり時における配置の理想数）を算出する（より下階フロアへ車を寄せる場合についてシミュレーションする）。算出した結果は、図１１に示すように、「次回せり時における配置の理想数」に格納する。
【００６３】
ステップＳ９０３において、管理装置９は、手前／中央／奥毎に集計をとり、突出しているフロア名の有無を求める。例えば、ステップＳ９０２で出品中古車２０を下位フロアへ詰めていった場合、図１１に示すように、４Ｆ手前には１００台が駐車している。しかしながら、同じ階の４Ｆ中央および４Ｆ奥には出品中古車２０は配置していない。この場合、３階のフロアの配置限界数を効率化することで、４Ｆ手前の車を３Ｆ手前に配置することができるか否かをシミュレーションする。
【００６４】
ステップＳ９０４において、管理装置９は、図１２に示すように、突出したフロアにおいて、何台空きがあれば下位フロアに配置できるかを算出する。例えば、３Ｆ手前の配置限界数を１００台増やし、３Ｆ奥の配置限界数を１００台減らすことでバランスが取れることを算出する。
【００６５】
ステップＳ９０５において、管理装置９は、図１３に示すように、フロアを移動させた場合の出品中古車２０の人気点数に応じて、人気点数レンジを更新する。例えば、元々２Ｆ手前にあった人気点数８３点、８４点の出品中古車２０を１Ｆ手前へ移動した場合、１Ｆ手前の人気度レンジは１００〜８５から、１００〜８３になる。
【００６６】
以上、本発明の実施の形態を、図面を参照しながら説明してきたが、本発明が適用されるオークション出品中古車駐車位置管理装置は、前述の実施の形態に限定されない。例えば、出品中古車２０の属性情報としての人気度を点数化した人気点数を用いて説明したが、他の属性情報、例えば、価格が高いか安いかの情報、人気車種であるか否かの情報、メーカーの違い、色の違い、車両のタイプ等の属性情報を用いても良い。
【００６７】
前述してきた本発明の実施の形態は、オークション出品中古車駐車位置管理装置の一機能としてハードウェア又はＤＳＰ（Digital Signal Processor）ボードやＣＰＵボードでのファームウェアもしくはソフトウェアにより実現することができる。
【００６８】
また、本発明が適用されるオークション出品中古車駐車位置管理装置は、その機能が実行されるのであれば、前述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００６９】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトウェアのプログラムを記録したＲＯＭやＲＡＭのメモリ、外部記録装置、可搬記録媒体を、オークション出品中古車駐車位置管理装置に供給し、そのオークション出品中古車駐車位置管理装置のコンピュータがプログラムを読み出し実行することによっても、達成されることは言うまでもない。
【００７０】
この場合、可搬記録媒体等から読み出されたプログラム自体が本発明の新規な機能を実現することになり、そのプログラムを記録した可搬記録媒体等は本発明を構成することになる。
【００７１】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００７２】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部又は全部を行ない、その処理によっても前述した実施の形態の機能が実現される。
【００７３】
さらに、可搬記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行ない、その処理によっても前述した実施の形態の機能が実現され得る。
【００７４】
すなわち、本発明は、以上に述べた実施の形態に限定されるものではなく、本発明の要旨を逸脱しない範囲内で種々の構成又は形状を取ることができる。
【符号の説明】
【００７５】
１        せりシステム
２        カメラ
３        撮影端末
４        データベースサーバ（ＤＢサーバ）
４Ａ      データベース（ＤＢ）
５        ファイルサーバ
５Ａ      車輌画像ファイル
６        調整人操作端末
７        画像表示装置
８        応札端末
９        オークション出品中古車駐車位置管理装置（管理装置）
１０      せり制御装置
２０      出品中古車
２１      検査・撮影ヤード
２２      駐車ヤード
２２Ａ、２２Ｂ、２２Ｃ、２２Ｄ  仕切り
３０      ＲＦＩＤライタ
３１      ＲＦＩＤタグ
４０      ＲＦＩＤリーダ
９１      せり情報登録部
９２      せり情報データベース（ＤＢ）
９３      属性情報データベース（ＤＢ）
９４      属性情報取得部
９５      配置情報データベース（ＤＢ）
９６      駐車位置決定部
９７      配置情報更新部
【図１】
2019040558.tif 000003
【図２】
2019040558.tif 000004
【図３】
2019040558.tif 000005
【図４】
2019040558.tif 000006
【図５】
2019040558.tif 000007
【図６】
2019040558.tif 000008
【図７】
2019040558.tif 000009
【図８】
2019040558.tif 000010
【図９】
2019040558.tif 000011
【図１０】
2019040558.tif 000012
【図１１】
2019040558.tif 000013
【図１２】
2019040558.tif 000014
【図１３】
2019040558.tif 000015